(57)【要約】【課題】安価な仕様で除霜用発熱体からの輻射熱を効率良く冷却器に放射して冷蔵庫の霜取り運転時間を短縮し、さらに冷蔵庫庫内の温度上昇を抑制でき、省エネルギーを達成することができる冷蔵庫を提供する。【解決手段】庫内空気を冷却する冷却器９と、冷却器９の下方に位置し冷却器９に付着した霜を溶かす発熱体１１と、冷却器９と発熱体１１の間に位置し冷却器９から融解滴下する水が発熱体１１に接触するのを防ぐ発熱体保護カバー１２とを備えた冷蔵庫であって、発熱体保護カバー１２の発熱体１１側の面１２ａを黒色系統に着色すると共に、発熱体保護カバー１２の冷却器９側の面１１ｂに金属光沢性を持たせた。【選択図】　　　　図１
2004020003.tif 000002
【特許請求の範囲】
【請求項１】
庫内空気を冷却する冷却器と、該冷却器の下方に位置し該冷却器に付着した霜を溶かす発熱体と、前記冷却器と発熱体の間に位置し前記冷却器から融解滴下する水が前記発熱体に接触するのを防ぐ発熱体保護カバーとを備えた冷蔵庫であって、
前記発熱体保護カバーの発熱体側の面を黒色系統に着色すると共に、該発熱体保護カバーの冷却器側の面に金属光沢性を持たせたことを特徴とする冷蔵庫。
【請求項２】
庫内空気を冷却する冷却器と、該冷却器の下方に位置し該冷却器に付着した霜を溶かす発熱体と、前記冷却器と発熱体の間に位置し前記冷却器から融解滴下する水が前記発熱体に接触するのを防ぐ発熱体保護カバーと、前記発熱体の下部に位置し前記冷却器から融解滴下した水を集める水分受け部とを備えた冷蔵庫であって、
前記発熱体保護カバーの発熱体側の面を黒色系統に着色し、該発熱体保護カバーの冷却器側の面に金属光沢性を持たせると共に、前記水分受け部を光沢性のある金属材料で形成しまたは発熱体側の面に光沢性塗料を塗布して構成したことを特徴とする冷蔵庫。
【発明の詳細な説明】
【０００１】
【発明の属する技術分野】
本発明は、冷却器の霜取りをヒータ等の発熱体によって行う除霜装置を備えた冷蔵庫に関するものである。
【０００２】
【従来の技術】
図７は例えば特開平３ー１１３２６０号公報に開示された従来の冷蔵庫内冷却器の除霜装置付近の一例を示す正面図、図８は図７の要部を拡大した斜視図である。９は冷却器で、冷媒配管用金属パイプ９ａ及び冷却器フィン９ｂによって構成されている。１１は発熱体であるガラス管ヒ−タで、ヒータ線１１ａ、リード線１１ｂ、ガラス管１１ｃ及び電気絶縁のためのゴムキャップ１１ｄによって構成されている。１８は金属板によって形成された屋根状で表面が網状仕様のヒータ保護カバーであり、網状構造によってガラス管ヒ−タ１１からの輻射熱を透過しやすくすると共に、冷却器９の霜取り時に滴下してくる水滴がガラス管ヒータ１１の表面に接触するのを防ぐようにしてある。
【０００３】
【発明が解決しようとする課題】
しかしながら、ヒータ保護カバー１８は網状仕様なので、網目から水がすり抜けてガラス管ヒータ１１の表面に滴下し、ガラス管ヒータ１１の高温表面において蒸発音が発生する恐れがあり、また、単純な板によってヒータ保護カバーを形成する場合と比較してコストアップになる。
【０００４】
本発明は上記のような課題を解決するためになされたもので、安価な仕様で除霜用発熱体からの輻射熱を効率良く冷却器に放射して冷蔵庫の霜取り運転時間を短縮し、さらに冷蔵庫庫内の温度上昇を抑制でき、省エネルギーを達成することができる冷蔵庫を提供することを目的とする。
【０００５】
【課題を解決するための手段】
本発明に係る冷蔵庫は、庫内空気を冷却する冷却器と、冷却器の下方に位置し冷却器に付着した霜を溶かす発熱体と、冷却器と発熱体の間に位置しており冷却器から融解滴下する水が発熱体に直接接触して蒸発音が発生するのを防ぐための発熱体保護カバーとを備えた冷蔵庫であって、発熱体保護カバーの発熱体側の面を黒色系統に着色することによって反射率を下げて発熱体から冷却器に向かう輻射熱の反射を抑えると共に、発熱体保護カバーの冷却器側の面に金属光沢性を持たせて発熱体の輻射熱を効率良く冷却器に放射させるようにしたものである。
【０００６】
また、庫内空気を冷却する冷却器と、該冷却器の下方に位置し該冷却器に付着した霜を溶かす発熱体と、冷却器と発熱体の間に位置しており冷却器から融解滴下する水が直接発熱体に直接接触して蒸発音が発生するのを防ぐための発熱体保護カバーと、発熱体の下部に位置しており発熱体により冷却器の霜取りを行った際に冷却器から融解滴下した水を集めるための排水経路を形成する水分受け部とを備えた冷蔵庫であって、発熱体保護カバーの発熱体側の面を黒色系統に着色することによって反射率を下げて発熱体から冷却器に向かう輻射熱の反射を抑え、発熱体保護カバーの冷却器側の面に金属光沢性を持たせて発熱体の輻射熱を効率良く冷却器に放射させると共に、水分受け部を光沢性のある金属材料で形成しまたは発熱体側の面に光沢性塗料を塗布することによって光沢性を向上させ、発熱体から下方向への輻射熱を上方向に反射するようにしたものである。
【０００７】
【発明の実施の形態】
［実施の形態１］
図１は本発明の実施の形態１に係る冷蔵庫の縦断面図、図２は図１の冷却器周辺部の正面図、図３は図２の側面図、図４は冷却器周辺の輻射熱の経路を示す作用説明図である。１は冷蔵庫の庫内と外気を隔てる断熱壁、１ａ，１ｂは断熱壁１を形成する鋼板製外箱及び樹脂製内箱であり、冷蔵庫は冷蔵室２、野菜室３及び冷凍室４によって区画され、各室２，３，４の前面にはそれぞれ冷蔵室扉５、野菜室扉６及び冷凍室扉７が設けられている。なお、８は冷蔵庫の背部に配設された圧縮機である。
【０００８】
９は庫内空気を冷却するために冷蔵庫の冷凍室４の後部に配設された冷却器で、冷媒配管用金属パイプ９ａと冷却器フィン９ｂとによって構成されている。１０は庫内の空気を循環させるために冷却器９の上方に配設されたプラスチック樹脂製の庫内ファンである。１１は冷却器９に付着した霜を溶かすための発熱体であるガラス管ヒータで、冷却器９の下方に配設され、ニクロム線等のヒータ線１１ａ、リード線１１ｂ、ヒータ線１１ａの周りを覆うガラス管１１ｃ及び電気絶縁のためのゴムキャップ１１ｄによって構成されている。
【０００９】
１２は屋根状をなす金属製のヒータ保護カバーで、冷却器９の下部でガラス管ヒータ１１の上部に配設されており、融解され霜から水分となって冷却器９から滴下してきた水がガラス管ヒータ１１の発熱部表面に直接落下して蒸発音が発生するのを防止する。そして、ヒータ保護カバー１２の下面１２ａ（ガラス管ヒータ１１側）は、冷蔵庫の低環境や寿命期間に耐用し得る黒色アルマイト等の黒色系統の塗料を用いて着色してあり、これによりヒータ保護カバー１２の反射率を下げ、ガラス管ヒータ１１からその上部への輻射熱がヒータ保護カバー１２によって下方に反射されないようになっている。また、ヒータ保護カバー１２の上面１２ｂ（冷却器９側）は光沢性のある材料で形成しまたは光沢性のある塗料を塗布しており、こうすることによりヒータ保護カバー１２の反射率を上げて熱放射しやすくしている。
【００１０】
１３は金属板によって形成された表面がほぼ桶形状の水分受け部で、ガラス管ヒータ１１の下部に配設されており、霜が融解して滴下してきた水分を集める。１４は水分受け部１３に集められた水を通す排水経路、１５は排水経路１４を通った水を集める蒸発皿である。１６は蒸発皿１５の下部に配設された金属パイプで、圧縮機によって圧縮された高温冷媒が通っている。
【００１１】
上記のように構成した実施の形態１の作用を説明する。冷却器９に霜が付着すると、この霜は下方から照射するガラス管ヒータ１１の輻射熱によって溶かされる。この際、ヒータ保護カバー１２のガラス管ヒータ１１側の下面１２ａは黒色系統に着色化されているので、ガラス管ヒータ１１から冷却器９に向かう輻射熱はヒータ保護カバー１２による放射が抑制され、また、ヒータ保護カバー１２の冷却器９側の上面１２ｂに金属光沢性を持たせてあるので、ガラス管ヒータ１１の輻射熱を効率良く冷却器９側に放射する。
こうして、冷却器９に付着した霜がガラス管ヒータ１１の熱によって溶かされると、ヒータ保護カバー１２の上面に水が滴下し、この水はここを伝わって水分受け部１３に集められ、排水経路１４を通って蒸発皿１５に集められる。そして蒸発皿１５に貯水された水は、その下部に位置する金属パイプ１６内を通る高温冷媒によって蒸発される。
【００１２】
本実施の形態によれば、黒色系統の塗料を用いて着色した下面１２ａと、光沢性のある材料または光沢性のある塗料を用いた上面１２ｂとからなるヒータ保護カバー１２によって、ガラス管ヒータ１１からの輻射熱がヒータ保護カバー１２に放射されるので、ガラス管ヒータ１１から冷却器９への輻射熱の透過性が向上し、ガラス管ヒータ１１からの輻射熱を効率よく冷却器９に放射し、霜の融解効率を低化させることもなく、霜取りを短時間で効率よく終わらせることができる。
【００１３】
［実施の形態２］
図５は本発明の実施の形態２に係る冷却器周辺の輻射熱の経路を示す作用説明図である。本実施の形態では、ヒータ保護カバー１２の下面１２ａを黒色系統の塗料を用いて着色し、上面１２ｂに光沢性のある材料等を用いるのに加えて、水分受け部１３の金属板表面を光沢性の高い塗料等によって形成したものである。なお、図４と同一部分には同じ符号を付し、説明を省略する。
１３ａは水分受け部１３のガラス管ヒータ１１側に位置する上面で、光沢性の高い塗料を塗布しまたは金属光沢性の高い材料によって形成して反射率を上げてあり、ガラス管ヒータ１１の下方に向かう輻射熱を上方に反射させる。
こうして、実施の形態１と組み合わせることで、ガラス管ヒータ１１からの輻射熱を効率よく冷却器９側に放射し、効率よく短時間で霜取り運転を終わらせることができる。
【００１４】
［実施の形態３］
図６は本発明の実施の形態３に係る冷却器周辺の正面図である。
冷蔵庫の冷媒として可燃性のＨＣ系冷媒（イソブタン、シクロペタン等）を使用した場合は、冷却器９の冷媒配管用金属パイプ９ａ内に、イソブタン、シクロペタン、プロパン等の地球温暖化に寄与しないＨＣ系冷媒が充填されるので、冷媒が着火するのを防止するために、ヒータにシーズヒータや二重ガラス管ヒータ等（以下、シーズヒータ等という）の表面温度の低いヒータを使用することがある。
このような場合、シーズヒータ等を使用してもヒータ保護カバーが加熱されて高温になり、冷媒が着火するおそれがあった。
【００１５】
本実施の形態においては、ＨＣ系冷媒を用いた冷蔵庫において、冷却器９と発熱体であるシーズヒータ等１７との間に、実施の形態１に係るヒータ保護カバー１２、すなわち、シーズヒータ等１７側の面を黒色系統に着色し、冷却器９側の面に金属光沢性をもたせたヒータ保護カバー１２を配設したものである。
これにより、シーズヒータ等１７からの輻射熱をヒータ保護カバー１２が吸収して表面から効率よく放射するため、ヒータ保護カバー１２が高温になるのを抑制することができ、冷蔵庫の故障を防止することができる。
【００１６】
【発明の効果】
以上の説明から明らかなように、本発明は、庫内空気を冷却する冷却器と、冷却器の下方に位置し冷却器に付着した霜を溶かす発熱体と、冷却器と発熱体の間に位置し冷却器から融解滴下する水が発熱体に接触するのを防ぐ発熱体保護カバーとを備えた冷蔵庫であって、発熱体保護カバーの発熱体側の面を黒色系統に着色すると共に、発熱体保護カバーの冷却器側の面に金属光沢性を持たせるように構成したので、霜取り運転時に、発熱体保護カバーの黒色系統に着色した面が発熱体からの放射熱の反射を防ぎ、発熱体保護カバーの光沢性を持たせた面が発熱体から冷却器への輻射熱を効率良く放射する。このため、発熱体の輻射熱が発熱体保護カバーに反射されて冷却器と反対側に放射させるのを防ぐことができ、霜の融解が効率よく行われ、霜取り時間が短縮する。
【００１７】
また、庫内空気を冷却する冷却器と、冷却器の下方に位置し冷却器に付着した霜を溶かす発熱体と、冷却器と発熱体の間に位置し冷却器から融解滴下する水が発熱体に接触するのを防ぐ発熱体保護カバーと、発熱体の下部に位置し冷却器から融解滴下した水を集める水分受け部とを備えた冷蔵庫であって、発熱体保護カバーの発熱体側の面を黒色系統に着色し、発熱体保護カバーの冷却器側の面に金属光沢性を持たせると共に、水分受け部を光沢性のある金属材料で形成しまたは発熱体側の面に光沢性塗料を塗布して構成したので、霜取り運転時に、発熱体保護カバーの黒色系統に着色した面が発熱体からの放射熱の反射を防ぎ、発熱体保護カバーの光沢性を持たせた面が発熱体から冷却器への輻射熱を効率良く放射し、発熱体の輻射熱が発熱体保護カバーに反射されて冷却器と反対側に放射させるのを防ぐことができると共に、金属光沢性を持たせた水分受け部が反射率を高くして発熱体の下方に向かう輻射熱を反射することができるので、霜の融解が効率よく行われ、霜取り時間が短縮する。
【図面の簡単な説明】
【図１】本発明の実施の形態１に係る冷蔵庫の縦断面図である。
【図２】図１の冷却器周辺の正面図である。
【図３】図２の側面図である。
【図４】図１の冷却器周辺の輻射熱の経路を示す作用説明図である。
【図５】本発明の実施の形態２に係る冷蔵庫の冷却器周辺の輻射熱の経路を示す作用説明図である。
【図６】本発明の実施の形態３に係る冷却器周辺の正面図である。
【図７】従来の冷蔵庫内冷却器の除霜装置付近の一例を示す正面図である。
【図８】図７の要部を拡大した斜視図である。
【符号の説明】
９　冷却器、１１　ガラス管ヒータ（発熱体）、１２　ヒータ保護カバー、１２ａ　ヒータ保護カバーの下面、１２ｂ　ヒータ保護カバーの上面、１３　水分受け部、１３ａ　水分受け部の上面、１７　シーズヒータ等。
【図１】
2004020003.tif 000003
【図２】
2004020003.tif 000004
【図３】
2004020003.tif 000005
【図４】
2004020003.tif 000006
【図５】
2004020003.tif 000007
【図６】
2004020003.tif 000008
【図７】
2004020003.tif 000009
【図８】
2004020003.tif 000010